(57)【要約】      （修正有）【課題】重量による方式の精液量測定バネ秤を提供する。【解決手段】バネ性を有する細長い部材をカンチレバー式の秤として、目盛を記した文字盤３のベースとなるベース基板４の表面部分に固定し、ここをカンチレバー式荷重測定部材２のカンチレバーで言うところの固定端とし、又この固定端に対してカンチレバーで言う自由端をフックＢ部分として、このＢ部分に精液を入れた精液採取袋６を直接ないしクリップや糸を介して吊るすと、その重量によってカンチレバー式荷重測定部材２のＢ部分が垂れ下がる。その変位を重量で示す文字盤３で求められるようにした。安価なポリ袋を精液採取の使い捨て容器にできる。【選択図】図３
2020118519.tif 000002
【特許請求の範囲】
【請求項１】
測定しようとする重量範囲内でバネ性の変形をする細長い部材をカンチレバー構造体として、その自由端部に測定したい未知荷重負荷を吊下げて垂れ下がる変位量を前記部材の自由端の端で一体となっている目盛指針用の細長い部材の固定端側で読み取る様にした事が特徴の精液量測定バネ秤。
【請求項２】
細長い部材１とバネ性を有する細長い部材２と目盛を施した目盛盤３と前記目盛盤３と前記部材１を固定して一体と成った部材２とを保持固定するベース基板４とから成り、前記部材３と４は互いの面とが側断面でほぼ直角のＬ字形を形成していて、前記部材２の端部に測定する未知荷重を吊るして、その荷重に応じて撓んで垂れ下がる変位を前記部材１の前記部材２との結合端部でない方の端部が示す位置に対応した前記目盛盤３の目盛の位置より精液量を求める事が特徴の精液量測定バネ秤。
【請求項３】
前記請求項２に記載の未知荷重が精液採取袋である事が特徴の精液量測定バネ秤。
【請求項４】
ポリ袋の入口下部に袋を貫通する直線状の切れ目を設けた精液採取用ポリ袋を用いることを特徴とする請求項１から３に記載の精液量測定バネ秤。
【発明の詳細な説明】
【技術分野】
【０００１】
本発明は精液の重量を計るカンチレバー式の秤に関するものである。          
【先行技術文献】
【非特許文献】
【０００２】
【非特許文献１】http://www.medicalexpo.com/ja/prod/biosigma/product-67846-434091.html
【発明の概要】
【発明が解決しようとする課題】
【０００３】
精液量を求めるには体積による方法と重量による方法とがあるが、その  どちらか一方が分かれば他を求める事が可能であるが、ＷＨＯのマニュアルには重量による測定と、精液採取容器は使い捨てを推奨しているようだが現在は体積による方法の物しか見当たらない様なので、本発明者は重量による方式の精液量測定バネ秤を提供しようとする者で以下図面を参照して説明する。
【課題を解決するための手段】
【０００４】
その為に図１の目盛指示部材１を図２のカンチレバー式の荷重測定部材２のＢ部分近くのＡの様な小さな領域だけで貼り合わせて固定して前記１，２を一体とし、それを更に図３の目盛を記した文字盤３のベースとなるベース基板４の表面部分に固定し、ここをカンチレバー式荷重測定部材２のカンチレバーで言うところの固定端とし、又この固定端に対してカンチレバーで言う自由端を図３の右側に示すフックＢ部分として、このＢ部分に精液を入れた精液採取袋６を直接ないしクリップや糸を介して吊るすと、その重量によってカンチレバー式荷重測定部材２のＢ部分が垂れ下がる、すると図４に示す様に目盛指示部材１の端部が略円弧状の軌跡を描いて袋の重量に見合った分だけ上に上がって行き停止するので、その停止位置に対応する文字盤３の目盛５を読み取る事で精液採取袋の精液量を求める事が可能になる、2目盛の表記は換算して体積でも表示可能である。
尚、基板４と文字盤３とは側断面でＬ字形にする、その為に一枚の板状体をＬ字形に曲げるのが良いし、尚１，２の部材を本図面では板状体で表したが、バネ性を有する線状体であっても同じ事である。
そして、この秤の良いところは部材１の長さを長くすれば精度が良くなる事である。
以下、本バネ秤の使い方を右利きの人の場合で説明すると、その一つは図３に示す基盤４を略水平になる様に文字盤３の左側上の隅を持ち、袋６をＢ部分に吊るし、その変形を１の端部の目盛５を読み取る方法と、基盤４をテーブルなどの台の右隅に基盤４の右、側端部の端面を台より外側に出して４を指で押さえて固定して、Ｂ部に袋６を吊るして、その変形を１の端部で目盛５を読み取る方法とがある。
【発明の効果】
【０００５】
本発明は上記の説明の様に、従来なかった重量測定による精液量の測定を可能にして更に、安価なポリ袋を精液採取の使い捨て容器にできる。
【図面の簡単な説明】
【０００６】
【図１】本発明のバネ秤の指針の役目をする目盛指示部材の形状図
【図２】本発明のカンチレバー式荷重測定部材の形状説明図
【図３】本発明の総合的な構成を示す説明図
【図４】本発明の作用の説明図
【図５】図１の１と図２の２とを同一材料で製作する場合の説明図
【図６】本発明専用の精液採取袋
【発明を実施するための形態】
【実施例】
【０００７】
本発明の一つ目の実施例を図面に基づいて説明する、図１の部材１は硬質塩ビ製の長さ約９０ｍｍ、幅６ｍｍ、厚さ０．４ｍｍの細長い板状体で目盛盤の目盛を指し示す為の指針の役目をする、言わばアナログ式の時計の針に相当する物である。図２の部材２は硬質塩ビ製の長さ約１００ｍｍ、幅６ｍｍ、厚さ０．４ｍｍで端部１０ｍｍを折り曲げてフックＢ部分を形成する、従ってカンチレバーとしての直線部分の長さは前記１とほぼ同じでバネ性を有する部材であり、Ａの部分で貼り付けて１と２の一体構造とする。
尚、Ａの部分とはカンチレバーで言うところの自由端に近い領域の狭い部分を図示している。
又、二つ目の実施例は図１の１と図２の２の部材を貼り合わせて一体にする為の工程を省くために、一枚の板状体を図５の様に１‘と２’にカットして、横の点線Ｄで折り曲げて１‘を２’の面に対して垂直になるようにして、図中のＣ部の凹みは精液採取袋６の切れ目７をそこに入れる様にしたものである。
又、三つ目の実施例は図５の縦の点線Ｆで直角に折り曲げて前記図２のフック部Ｂと同じく立ち上げる部分と言う意味でＢ‘と記し、図２のフック部Ｂと同じ役目の精液採取袋６を吊るす部分になる。
尚、目盛盤３は厚さ０．５ｍｍ×横５０ｍｍ×縦７０ｍｍの塩ビ板を縦約１５ｍｍのところで、おおよそ直角に折り曲げてＬ字形にして目盛盤のベース４として、残りの約５５ｍｍの立ち上りの面が目盛盤３になる。
【産業上の利用可能性】
【０００８】
現在精子の簡易検査と観察は自宅でスマホを使ってできるので、それに役立つ。
【符号の説明】
【０００９】
１は目盛を読み取る指針の役目をする部材である。
２はバネ性を有する部材で端部に精液採取袋を吊るす。
３は目盛盤である。
４は目盛盤のベース基盤である。
５は重量を示す目盛（精液の体積に換算した表示も可能）
６は精液採取袋。
７は袋に付けた切れ目である。
Ａは部材１と部材２のおおよその取り付け位置を示す。
Ｂは精液採取袋を吊るすフック部分を示す。
Ｃは凹み部分を示す。
Ｂ‘  は縦の点線Ｆで曲げるとフック部になる部分である。
Ｆ，Ｄは曲げ位置を示す。
１‘  は前記１と同様に目盛を読み取る指針の役目をする部材である。
２‘  は前記２と同様にバネ性を有する部材である。
【図１】
2020118519.tif 000003
【図２】
2020118519.tif 000004
【図３】
2020118519.tif 000005
【図４】
2020118519.tif 000006
【図５】
2020118519.tif 000007
【図６】
2020118519.tif 000008